(57)【要約】【課題】小刃におけるすくい角βを小さく、且つ、起立角αを大きくするという相反する課題の解決を可能とし、髭の断面の一端側に髭残りの発生を防止することができ、且つ、髭剃り性能の低下および外刃との摺動抵抗の増加を防止することができるロータリー式電気かみそりの内刃を提供する。【解決手段】本発明に係るロータリー式電気かみそり１の内刃４２は、多数の髭進入口が形成された環状の髭剃り面を上面２２ａに有する外刃２２と、外刃２２の下面２２ｂに摺接しつつ回転する複数の小刃４２Ａを有する内刃４２と、を備え、小刃４２Ａは、金属板の一部を、該金属板の板面４２Ｂに対する回転方向前方側の角度αが鋭角となるように起立させて形成されると共に、回転方向前方側に外刃２２と摺接する上端面４２ａから下端部４２ｄに向けて抉られた形状の凹部４２ｃを有し、該上端面４２ａと該凹部４２ｃとによって規定される上端縁４２ｂが刃先となる。【選択図】図３
2015071002.tif 000002
【特許請求の範囲】
【請求項１】
多数の髭進入口が形成された環状の髭剃り面を上面に有する外刃と、前記外刃の下面に摺接しつつ回転する複数の小刃を有する内刃と、を備えるロータリー式電気かみそりの該内刃であって、
前記小刃は、金属板の一部を、該金属板の板面に対する回転方向前方側の角度αが鋭角となるように起立させて形成されると共に、回転方向前方側に前記外刃と摺接する上端面から下端部に向けて抉られた形状の凹部を有し、該上端面と該凹部とによって規定される上端縁が刃先となること
を特徴とするロータリー式電気かみそりの内刃。
【請求項２】
前記小刃は、前記刃先のすくい角の角度βが１５°≦β≦４０°に形成されていること
を特徴とする請求項１記載のロータリー式電気かみそりの内刃。
【請求項３】
前記小刃は、前記角度αが４５°≦α＜９０°に形成されていること
を特徴とする請求項１または請求項２記載のロータリー式電気かみそりの内刃。
【請求項４】
前記小刃は、前記凹部が設けられることによって、前記上端面の回転方向の長さ寸法が、該凹部の無い位置の回転方向の長さ寸法よりも短くなるように形成されていること
を特徴とする請求項１〜３のいずれか一項記載のロータリー式電気かみそりの内刃。
【請求項５】
多数の髭進入口が形成された環状の髭剃り面を上面に有する外刃と、前記外刃の下面に摺接しつつ回転する複数の小刃を有する内刃と、を備えるロータリー式電気かみそりの該内刃であって、
前記小刃は、金属板の一部を、該金属板の板面に対する回転方向前方側の角度αが４５°≦α≦１３５°となるように起立させ、且つ、上端部を回転方向前方側に向けて折曲させて形成されており、回転方向前方側に折曲部としての凹部が設けられていること
を特徴とするロータリー式電気かみそりの内刃。
【請求項６】
前記小刃は、上端面を含む上端部領域において、回転方向断面における回転方向後方側の領域を減じることによって形成される肉薄部が、回転方向と直交する径方向の一部領域に形成されていること
を特徴とする請求項５記載のロータリー式電気かみそりの内刃。
【発明の詳細な説明】
【技術分野】
【０００１】
本発明は、ロータリー式電気かみそりの内刃に関する。
【背景技術】
【０００２】
例えば特許文献１に記載された、多数の髭進入口が形成された環状の髭剃り面を上面に有する外刃と、外刃の下面に前記髭剃り面の下方から摺接しつつ回転する小刃を持つ内刃とを有するロータリー式電気かみそりが知られている。
【先行技術文献】
【特許文献】
【０００３】
【特許文献１】特開２００７−１３５９９１号公報
【発明の概要】
【発明が解決しようとする課題】
【０００４】
ここで、特許文献１に例示される従来のロータリー式電気かみそりの内刃１４２と外刃１２２の構成例および髭Ｘを切断する際の状態を図８（ａ）に示し、当該内刃１４２によって切断された髭Ｘの状態を図８（ｂ）に示す。図８（ａ）に示すように、内刃１４２の小刃１４２Ａが外刃１２２の髭進入口に進入した髭Ｘを切断する際、刃先１４２ｂの下部壁によって髭Ｘが押されて、角度θで押し上げられる状態となる。その結果、図８（ｂ）に示すように、切断された髭Ｘには、断面の一端側に髭残りＸａが発生し易いという課題があった。なお、図中の矢印は内刃１４２の回転方向を示している。
【０００５】
当該課題を解決するためには、角度θを小さくすることが必要となる。例えば、図９に示す第一比較例に係る内刃２４２のように、小刃２４２Ａを板面２４２Ｂに対して起立させる角度（以下、「起立角」という）αを小さくすることによって、小刃２４２Ａの刃先２４２ｂの角度（以下、「すくい角」という）βを小さくすることができ、その結果、角度θを小さくできる効果が得られる。
【０００６】
しかしながら、起立角αが小さい構成にしようとすると、小刃２４２Ａの長さＬ３が長くなってしまう。その結果、小刃２４２Ａの剛性が低下して撓みや振動が発生し、外刃２２２との密着状態が阻害されるため、十分に髭を捉えることができず、深剃りができなくなり、また、髭が引っ張られて剃り味が悪くなるといった課題が生じる。逆に、小刃２４２Ａの長さＬ３を短くしようと構成とすると、小刃２４２Ａの高さＨ３を小さくせざるを得ないこととなってしまう。その結果、十分なクリアランスが確保できないといった課題が生じる。これらの課題に加えて、小刃２４２Ａの上端面２４２ａに形成される外刃２２２との摺動面の面積が増加して、摺動抵抗が増加してしまうため、騒音（摺動音）や消費電力が増大するという課題も生じる。これらの課題を考慮すれば、起立角αは小さくせずに、９０°までの範囲内で大きく設定することが必要となる。
【０００７】
このように、ロータリー式電気かみそりの内刃に対して、すくい角βを小さくする構成と、起立角αを大きくする構成とが同時に要請されることとなり、相反する課題となっていた。
【０００８】
本発明は、上記事情に鑑みてなされ、小刃におけるすくい角βを小さく、且つ、起立角αを大きくするという相反する課題の解決を可能とし、髭の断面の一端側に髭残りの発生を防止することができ、且つ、髭剃り性能の低下および外刃との摺動抵抗の増加を防止することができるロータリー式電気かみそりの内刃を提供することを目的とする。
【課題を解決するための手段】
【０００９】
一実施形態として、以下に開示するような解決手段により、前記課題を解決する。
【００１０】
開示のロータリー式電気かみそりの内刃は、多数の髭進入口が形成された環状の髭剃り面を上面に有する外刃と、前記外刃の下面に摺接しつつ回転する複数の小刃を有する内刃と、を備えるロータリー式電気かみそりの該内刃であって、前記小刃は、金属板の一部を、該金属板の板面に対する回転方向前方側の角度αが鋭角となるように起立させて形成されると共に、回転方向前方側に前記外刃と摺接する上端面から下端部に向けて抉られた形状の凹部を有し、該上端面と該凹部とによって規定される上端縁が刃先となることを要件とする。
【発明の効果】
【００１１】
開示のロータリー式電気かみそりの内刃によれば、小刃におけるすくい角βを小さく、且つ、起立角αを大きくするという相反する課題の解決が可能となる。これによって、髭の断面の一端側に髭残りの発生を防止することが可能となり、且つ、髭剃り性能の低下を防止すると共に外刃との摺動抵抗を低減することが可能となる。
【図面の簡単な説明】
【００１２】
【図１】本発明の実施形態に係るロータリー式電気かみそりの例を示す概略図（斜視図）である。
【図２】図1に示すロータリー式電気かみそりのヘッド部の例を示す概略図（分解斜視図）である。
【図３】図１に示すロータリー式電気かみそりの内刃の第一の実施形態を示す概略図である。
【図４】図１に示すロータリー式電気かみそりの内刃と外刃の構成例および髭Ｘを切断する際の状態を示す概略図、ならびに切断された髭Ｘの状態を示す概略図である。
【図５】図１に示すロータリー式電気かみそりの内刃の小刃の変形例を示す概略図である。
【図６】図３に示すロータリー式電気かみそりの内刃の概略図（平面図）である。
【図７】図１に示すロータリー式電気かみそりの内刃の第二の実施形態を示す概略図である。
【図８】従来の実施形態に係るロータリー式電気かみそりの内刃と外刃の構成例および髭Ｘを切断する際の状態を示す概略図、ならびに切断された髭Ｘの状態を示す概略図である。
【図９】第一比較例に係るロータリー式電気かみそりの内刃の例を示す概略図である。
【図１０】第二比較例に係るロータリー式電気かみそりの内刃の例を示す概略図である。
【図１１】図１に示すロータリー式電気かみそりの内刃の第三の実施形態を示す概略図である。
【図１２】図１に示すロータリー式電気かみそりの内刃の第四の実施形態を示す概略図である。
【発明を実施するための形態】
【００１３】
（第一の実施形態）
以下、図面を参照して、本発明の第一の実施形態について詳しく説明する。図１は、本実施形態に係るロータリー式電気かみそり１の例を示す概略図（斜視図）である。また、図２は、ロータリー式電気かみそり１のヘッド部３の例を示す概略図（分解斜視図）である。なお、実施形態を説明するための全図において、同一の機能を有する部材には同一の符号を付し、その繰り返しの説明は省略する場合がある。
【００１４】
本実施形態に係るロータリー式電気かみそり１は、図１、２に示すように、多数の髭進入口が形成された環状の髭剃り面を上面に有する外刃２２と、当該外刃２２の下面に摺接しつつ回転する小刃を持つ内刃４２とを有し、髭進入口に進入した髭を外刃２２と内刃４２とでカットするロータリー式電気かみそりである。なお、外刃２２と内刃４２とを備えて構成される刃ユニット６を三組有するロータリー式電気かみそりを例に挙げて説明するが、これに限定されるものではない。
【００１５】
図１において符号２は本体部であり、略円柱状のケース１０を備えている。このケース１０の内部には、電池、モータ、制御回路基板等（いずれも不図示）が収容されている。ケース１０の前面には電源スイッチ１６が取り付けられ、この電源スイッチの下方には電池の充電残量や動作状態等を示すＬＥＤランプからなる表示部１７が設けられている。
【００１６】
図２に示すように、ヘッド部３は、本体部２のケース１０の上部に連結されて保持されるヘッドケース３２と、このヘッドケース３２に上方から被される刃枠３０と、ヘッドケース３２の内底部に収容された駆動機構（不図示）と、刃枠３０に僅かに上下動可能かつ揺動可能に保持された三組の刃ユニット６とを備えている。ここで、各刃ユニット６は、略円盤状の外刃２２と、この外刃２２の下面（内面）に摺接しながら回転する内刃４２とを備えている。また、三組の刃ユニット６は平面視で、三角形となるように配設されている。なお、本実施形態は、前述の通り、刃ユニット６を三組備える場合の例であるが、刃ユニットが三組以外の場合においても基本的な構成は同様に考えればよい。
【００１７】
ここで、外刃２２は、上面に多数の放射状のスリットが形成され、このスリットに入った髭を内刃４２がカットする構成である。外刃２２は周縁が下方に折曲された形状を有しており、この周縁には外刃リング２４が嵌め合わされている。なおこの外刃リング２４の内周にはストッパリング２６が嵌め込まれて、外刃２２を外刃リング２４に固定している。
【００１８】
一方、内刃４２は、内刃保持台４４に固定され、この内刃保持台４４の下部に内刃駆動軸（不図示）の上端が嵌合される凹部が形成されている。この内刃４２は外刃リング２４に嵌め込まれた内刃受け４６により外刃２２側に搖動可能に保持され、これらにより三組の独立した刃ユニット６が形成される。
【００１９】
以上の構成を備えて、刃ユニット６が組み立てられることによって、外刃２２の下面２２ｂに、内刃４２の小刃４２Ａの上端面４２ａがそれぞれ当接する状態となる。この状態で、内刃４２を回転駆動することによって、髭進入口に入った髭を内刃の刃先（後述の内刃４２の小刃４２Ａの上端縁４２ｂ）でカットすることができる（後述の図４参照）。
【００２０】
ここで、内刃４２の構成について、より詳しく説明する。図３に示すように、本実施形態に係る内刃４２は、金属板の一部を板面４２Ｂに対して起立させた複数の小刃４２Ａを備えて構成される（図の簡素化のため、一部の小刃のみに符号を記入している）。一例として、内刃４２はステンレス鋼からなる金属板を用いて、プレス加工による型抜きおよび折曲を行って形成される。図３中、内刃４２の回転方向を矢印の方向で示すと共に、回転方向前方をＦ、回転方向後方をＲとして示す（他の図において同様）。なお、本実施形態において、内刃４２は金属板を用いた一体構造としているが、これに限定されるものではなく、例えば、板面の部分と、小刃の部分とを別体構造としてもよい。
【００２１】
本実施形態に係る小刃４２Ａは、一例として、一辺が１［ｍｍ］程度で他辺が０．５［ｍｍ］程度の矩形断面を有する略角柱状であって、長さＬ２が２［ｍｍ］程度に形成されている。ただし、この寸法形状に限定されるものではない。
【００２２】
また、小刃４２Ａは、金属板の板面４２Ｂに対する回転方向前方側の角度（起立角）αが鋭角（本実施形態においては、４５°≦α＜９０°）となるように起立させて形成されている（図３、４参照）。ここで、図４（ａ）は、本実施形態に係るロータリー式電気かみそりの内刃４２と外刃１２２の構成例および髭Ｘを切断する際の状態を示す図であり、図４（ｂ）は、当該内刃１４２によって切断された髭Ｘの状態を示す図である。なお、本実施形態において、内刃４２の各小刃４２Ａは同じ構成を有するものとして説明する。ただし、小刃４２Ａは同じ構成に限定されるものではなく、例えば、内周側と外周側とを異なる構成にする等の変形例も考えられる。
【００２３】
上記の構成によれば、図４に示すように、従来の構成（図８）と比較して、起立角αを大きく設定することができる（一例として、図８に示す起立角αはα＝６０［°］であるのに対して、図４に示す起立角αはα＝８０［°］である）。すなわち、従来の構成と比較して、小刃４２Ａの高さＨ２を変えずに（すなわち、Ｈ１と同じ寸法にしつつ）、長さＬ２を短い構成とすることが可能となる。その結果、小刃４２Ａの剛性を向上させることができ、作動中に撓みや振動が発生することを防止できるため、内刃４２の摺動面（小刃４２Ａの上端面４２ａ）を安定的に外刃２２（下面２２ｂ）に密着させた状態が実現できる。したがって、十分に髭を捉えることができるため、深剃りができ、髭が引っ張られることがなく、きわめて剃り味が良くなるという効果が奏される。
【００２４】
また、従来の構成と比較して、小刃４２Ａの高さＨ２が小さくならないため、クリアランスが確保できないという課題の解決も可能となる。
【００２５】
さらに、従来の構成と比較して、起立角αが大きく設定されていることによって、小刃４２Ａの回転方向に平行な面による断面の面積が小さくなるため、小刃４２Ａの上端部が研磨されて形成される上端面４２ａの面積を小さくすることが可能となる。その結果、外刃２２（下面２２ｂ）との摺動面（小刃４２Ａの上端面４２ａ）の面積を小さくして、摺動抵抗を低減することが可能となるため、騒音（摺動音）を低減することが可能となり、且つ、消費電力を低減することが可能となる。
【００２６】
しかし、第二比較例に係る内刃３４２として図１０に示すように、起立角αを大きく設定すると、小刃３４２Ａの長さＬ４および高さＨ４は小さくなるものの、すくい角βが大きくなってしまうことによって、角度θが大きくなってしまうため、前述の通り、髭の断面の一端側に髭残りが発生し易くなってしまうという相反する課題が生じ得る。
【００２７】
当該課題に対して、本実施形態に係る内刃４２の小刃４２Ａは、図４に示すように、回転方向前方側において、外刃２２（下面２２ｂ）と摺接する上端面４２ａから下端部４２ｄに向けて抉られた形状の凹部４２ｃが設けられた構成を有している。これによって、小刃４２Ａは、上端面４２ａと当該凹部４２ｃとによって規定される上端縁４２ｂが髭を切断する刃先となる。
【００２８】
この構成によれば、小刃４２Ａの刃先（すなわち上端縁４２ｂ）の角度（すくい角）βを鋭角（本実施形態においては、１５°≦β≦４０°）に形成することが可能となる。すなわち、小刃４２Ａの刃先４２ｂのすくい角βを小さくすることができるため、外刃２２の髭進入口に進入した髭Ｘを切断する際、刃４２ｂ先の下部壁によって髭Ｘが押されて、押し上げられる角度θを小さくできる効果が得られる。したがって、髭Ｘを切断する際に、髭Ｘの断面の一端側に髭残りＸａが発生してしまうことの防止が可能となる。同時に、髭Ｘの引っ張りも防止できるため、皮膚への刺激を抑制して、剃り味の低下を防止することができる。
【００２９】
なお、凹部４２ｃの形状は特に限定されるものではなく、例えば、図４に示す例のように全体を曲面状に形成してもよく、あるいは、図５に示す変形例のように、複数（例えば二つ）の平面とそれらを結ぶ曲面とによって構成される形状としてもよい。
【００３０】
ここで、凹部４２ｃを形成する方法についても特に限定されないが、プレス加工、切削（研削）加工、放電加工、ＥＣＭ（電解加工）等、様々な加工方法によって形成することができる。
【００３１】
小刃４２Ａの加工手順としては、凹部４２ｃを形成する工程を実施した後に、上端面４２ａを研磨加工により形成する工程を実施することが好適である。この工程順で小刃４２Ａの加工を行うことによって、刃先（上端縁４２ｂ）の先端部を上下方向厚さ２０［μｍ］以下の鋭利な形状で、且つ、バリの無い形状に形成することが可能となる。
【００３２】
また、小刃４２Ａは、図６の平面図に示すように、刃先（上端縁４２ｂ）において、中心軸と刃先を結ぶ線（面）に対して角度（以下、「挟み角」という）γを有する形状としてもよい。この構成によれば、挟み角γが０［°］よりも大きい所定の角度に形成されていることによって、髭の切断性が向上し、剃り味を向上させることが可能となる。
【００３３】
（第二の実施形態）
続いて、本発明の第二の実施形態に係るロータリー式電気かみそりの内刃４２について説明する。本実施形態に係る内刃４２は、前述の第一の実施形態と基本的な構成は同様であるが、特に小刃４２Ａの構成において相違点を有する。以下、当該相違点を中心に本実施形態について説明する。
【００３４】
本実施形態に係る内刃４２の小刃４２Ａは、図７に示すように、上端面４２ａの回転方向の長さ寸法が、該凹部４２ｃの無い位置の回転方向の長さ寸法よりも短くなるように凹部４２ｃが設けられる構成を有する。このように、抉られる位置を深くすることによって、凹部４２ｃの形成位置をより一層、回転方向後方側に設ける構成、すなわち、上端面４２ａの面積が回転方向と平行な面で切断しただけの場合の面積よりも小さくなる構成としている。
【００３５】
これによれば、前述の第一の実施形態において起立角αを大きくすることによって得られた効果（上端面４２ａの摺動面の面積の低減）に加えて、より一層、上端面４２ａの摺動面の面積を低減する効果を高めることが可能となる。したがって、さらに、騒音（摺動音）を低減する効果、および、消費電力を低減する効果を高めることが可能となる。
【００３６】
（第三の実施形態）
続いて、本発明の第三の実施形態に係るロータリー式電気かみそりの内刃４２について説明する。本実施形態に係る内刃４２は、特に小刃４２Ａの構成において以下の特徴を有する。なお、前述の第一、第二の実施形態と同様の構成・作用効果については繰り返しの説明を省略する。
【００３７】
本実施形態に係る内刃４２の概略図（斜視図）を図１１（ａ）に示し、内刃４２の小刃４２Ａの概略図（側面図）を図１１（ｂ）に示す。
同図１１（ａ）、１１（ｂ）に示すように、本実施形態に係る内刃４２の小刃４２Ａは、金属板の一部を、金属板の板面４２Ｂに対する回転方向前方側の角度（起立角）αが４５°≦α≦１３５°となるように起立させ、且つ、上端部を回転方向前方側に向けて折曲させて形成されている。また、回転方向前方側には当該折曲部としての凹部４２ｃが設けられている。このように、起立角αが大きく設定される構成が実現されて、前述の実施形態と同様の作用効果を得ることができる。
【００３８】
また、小刃４２Ａは、上端面４２ａを含む上端部領域において、回転方向断面（すなわち、金属板の板面４２Ｂと平行な面による断面）における回転方向後方側の領域を減じることによって形成される肉薄部４２ｅが、回転方向と直交する方向（以下、「径方向」という）の一部領域（本実施形態では、径方向における両端位置）に形成されている。これと対応して、回転方向断面における回転方向後方側の領域を減じない箇所は、肉厚部４２ｆとして、径方向の残りの領域（本実施形態では、径方向における中央位置）に形成されることとなる。すなわち、回転方向の寸法において、肉薄部４２ｅは相対的に短く、肉厚部４２ｆは相対的に長い構成を有している。本実施形態においては、上端面４２ａの形状が回転方向後方に向かって凸状となる形状に形成されている（図１１（ａ）参照）。なお、肉薄部４２ｅは、一例としてプレス加工によって形成されるが、この加工方法に限定されるものではない。
【００３９】
この構成によれば、小刃４２Ａの上端部領域において、径方向の一部領域に肉薄部４２ｅが形成されることによって、小刃４２Ａの上端部が研磨されて形成される上端面４２ａの面積を、回転方向と平行な面で切断しただけの場合の面積よりも小さく形成することが可能となる。このように、小刃４２Ａの上端面４２ａの面積が小さく形成される構成が実現されて、前述の実施形態と同様の作用効果を得ることができる。
【００４０】
ここで、径方向の全部領域を肉薄部として形成してしまうと、小刃４２Ａの上端部の強度が確保できなくなってしまう。これに対して、本実施形態においては、径方向の一部領域に肉薄部４２ｅを形成し、残りの領域に肉厚部４２ｆを形成する構成によって、当該肉厚部４２ｆを補強リブとして作用させることができる。その結果、小刃４２Ａの上端面４２ａの面積を小さくし、且つ、小刃４２Ａの上端部の強度を確保するという相反する課題の解決を図ることが可能となっている。
【００４１】
さらに、以上の構成が相乗的に作用することによって得られる効果として、小刃４２Ａの刃先（すなわち上端縁４２ｂ）の角度（すくい角）βを鋭角（本実施形態においては、１５°≦β≦４０°）に形成することが可能となる。このように、小刃４２Ａの刃先４２ｂのすくい角βが小さく形成される構成が実現されて、前述の実施形態と同様の作用効果を得ることができる。
【００４２】
（第四の実施形態）
続いて、本発明の第四の実施形態に係るロータリー式電気かみそりの内刃４２について説明する。ここで、本実施形態に係る内刃４２の概略図（斜視図）を図１２（ａ）に示し、内刃４２の小刃４２Ａの概略図（側面図）を図１２（ｂ）に示す。
本実施形態に係る内刃４２は、前述の第三の実施形態と基本的な構成は同様であるが、特に小刃４２Ａの構成において相違点を有する。以下、当該相違点を中心に本実施形態について説明する。
【００４３】
本実施形態に係る小刃４２Ａは、上端面４２ａを含む上端部領域に形成される肉薄部４２ｅおよび肉厚部４２ｆの配設位置が前述の第三の実施形態と逆になっている。すなわち、肉薄部４２ｅが径方向における中央位置に形成され、肉厚部４２ｆが径方向における両端位置に形成される構成となっている。すなわち、上端面４２ａの形状が回転方向後方に向かって凹状となる形状に形成されている（図１２（ａ）参照）。この構成によっても、前述の第三の実施形態と同様の作用効果を得ることが可能となる。
【００４４】
以上、説明した通り、本発明に係るロータリー式電気かみそりの内刃によれば、小刃におけるすくい角βを小さく、且つ、起立角αを大きくするという相反する課題の解決が可能となる。すなわち、小刃の刃先のすくい角βを小さくすることができるため、髭を切断する際に、髭が押し上げられる角度θを小さくできる効果が得られる。したがって、髭を切断する際に、髭の断面の一端側に髭残りが発生してしまうことの防止が可能となる。これと同時に小刃の起立角αを大きくすることができるため、小刃の上端面４２ａの摺動面の面積を小さくできる効果が得られる。したがって、外刃２２（２２ｂ）との摺動抵抗を低減することが可能となり、騒音（摺動音）および消費電力をいずれも低減することが可能となる。
【００４５】
なお、本発明は、以上説明した実施例に限定されることなく、本発明を逸脱しない範囲において種々変更が可能である。特に、外刃と内刃との組合せ（刃ユニット）を三組有するロータリー式電気かみそりを例に挙げて説明を行ったが、これに限定されるものではない。
【符号の説明】
【００４６】
１  ロータリー式電気かみそり
２  本体部
３  ヘッド部
６  刃ユニット
１０  ケース
１６  電源スイッチ
２２、１２２、２２２、３２２  外刃
２２ａ  外刃の上面（髭剃り面）
２２ｂ  外刃の下面
２４  外刃リング
２６  ストッパリング
３０  刃枠
３２  ヘッドケース
４２、１４２、２４２、３４２  内刃
４２Ａ、１４２Ａ、２４２Ａ、３４２Ａ  小刃
４２Ｂ、１４２Ｂ、２４２Ｂ、３４２Ｂ  金属板の板面
４２ａ、１４２ａ、２４２ａ、３４２ａ  小刃の上端面
４２ｂ、１４２ｂ、２４２ｂ、３４２ｂ  小刃の上端縁
４２ｃ  凹部
４２ｄ  小刃の下端部
４２ｅ  肉薄部
４２ｆ  肉厚部
４４  内刃保持台
４６  内刃受け
α  起立角
β  すくい角
γ  挟み角
Ｘ  髭
【図１】
2015071002.tif 000003
【図２】
2015071002.tif 000004
【図３】
2015071002.tif 000005
【図４】
2015071002.tif 000006
【図５】
2015071002.tif 000007
【図６】
2015071002.tif 000008
【図７】
2015071002.tif 000009
【図８】
2015071002.tif 000010
【図９】
2015071002.tif 000011
【図１０】
2015071002.tif 000012
【図１１】
2015071002.tif 000013
【図１２】
2015071002.tif 000014